(57)【要約】【課題】リモコン送信機による操作性を向上させることができるようにする。【解決手段】リモコン送信機２０側で、テレビジョン受像機１０の少なくとも調整に関わる操作を行う画質調整ボタンを閉塞する蓋の開検知があると、該開検知に応じた開コードが送信され、さらに画質調整ボタンの操作に応じた操作コードが送信され、テレビジョン受像機１０側では、開コードが受信されると、画質調整ボタンに関わる情報がＯＳＤ表示され、さらに操作コードが受信されると、該操作コードに対応する調整内容がＯＳＤ表示されるし、リモコン送信機２０側でのたとえば画質調整ボタンによる操作の回数を少なくしてたとえば画質調整を行うことができるようにした。【選択図】図１
2008109275.tif 000002
【特許請求の範囲】
【請求項１】
リモコン送信機とテレビジョン受像機とを備えるテレビジョン受像システムであって、
前記リモコン送信機は、
前記テレビジョン受像機の少なくとも調整に関わる操作を行う操作手段と、
開閉自在に設けられ、閉じ位置にあるとき前記操作手段を閉塞する閉塞手段と、
該閉塞手段の開閉を検知する開閉検知手段と、
該開閉検知手段による開検知に応じた開コード又は前記操作手段の操作に応じた操作コードを送信する送信制御手段とを有し、
前記テレビジョン受像機は、
前記開コード又は前記操作コードを受信する受信手段と、
該受信手段によって前記開コードが受信されると、前記操作手段に関わる情報をＯＳＤ表示させ、さらに前記操作コードが受信されると、該操作コードに対応する調整内容をＯＳＤ表示させる調整制御手段とを有する
ことを特徴とするテレビジョン受像システム。
【請求項２】
前記送信制御手段は、前記操作手段の操作に応じた調整レベルコードを送信し、
前記調整制御手段は、前記受信手段によって前記調整レベルコードが受信されると、前記調整内容を変更するとともに、該調整内容に応じたパラメータの値を変更する
ことを特徴とする請求項１に記載のテレビジョン受像システム。
【請求項３】
前記送信制御手段は、前記開閉検知手段による閉検知に応じた閉コードを送信し、
前記調整制御手段は、ＯＳＤ表示中に前記受信手段によって前記閉コードが受信されると、前記ＯＳＤ表示を停止させる
ことを特徴とする請求項１又は２に記載のテレビジョン受像システム。
【請求項４】
前記操作手段は、画質調整に関わる複数の操作ボタンであることを特徴とする請求項１〜３のいずれかに記載のテレビジョン受像システム。
【請求項５】
前記閉塞手段は、前記リモコン送信機の送信機本体に対して回動自在又はスライド自在に設けられた蓋体であることを特徴とする請求項１〜４のいずれかに記載のテレビジョン受像システム。
【請求項６】
リモコン送信機によるテレビジョン受像機の遠隔操作方法であって、
前記リモコン送信機は、
前記テレビジョン受像機の少なくとも調整に関わる操作を行う操作手段を閉塞する閉塞手段の開閉を検知するステップと、
該閉塞手段の開検知があると該開検知に応じた開コードを送信するステップと、
前記操作手段の操作に応じた操作コードを送信するステップとを有し、
前記テレビジョン受像機は、
前記開コード又は前記操作コードを受信するステップと、
前記開コードが受信されると、前記操作手段に関わる情報をＯＳＤ表示させ、さらに前記操作コードが受信されると、該操作コードに対応する調整内容をＯＳＤ表示させるステップとを有する
ことを特徴とするテレビジョン受像機の遠隔操作方法。
【請求項７】
前記リモコン送信機は、前記操作手段の操作に応じた調整レベルコードを送信するステップを有し、
前記テレビジョン受像機は、前記調整レベルコードが受信されると、前記調整内容を変更するとともに、該調整内容に応じたパラメータの値を変更するステップを有する
ことを特徴とする請求項６に記載のテレビジョン受像機の遠隔操作方法。
【請求項８】
前記リモコン送信機は、前記閉塞手段の閉検知があると該閉検知に応じた閉コードを送信するステップを有し、
前記テレビジョン受像機は、ＯＳＤ表示中に前記閉コードが受信されると、前記ＯＳＤ表示を停止させるステップを有する
ことを特徴とする請求項６又は７に記載のテレビジョン受像機の遠隔操作方法。
【請求項９】
前記操作手段は、画質調整に関わる複数の操作ボタンであることを特徴とする請求項６〜８のいずれかに記載のテレビジョン受像機の遠隔操作方法。
【請求項１０】
前記閉塞手段は、前記リモコン送信機の送信機本体に対して回動自在又はスライド自在に設けられた蓋体であることを特徴とする請求項６〜９のいずれかに記載のテレビジョン受像機の遠隔操作方法。
【発明の詳細な説明】
【技術分野】
【０００１】
本発明は、たとえばテレビジョン受像機におけるリモコン送信機の操作性向上に適したテレビジョン受像システム及びテレビジョン受像機の遠隔操作方法に関する。
【背景技術】
【０００２】
近年のテレビジョン受像機では、ＨＤ（ハイビジョン）放送、ＳＤ（現行ＮＴＳＣ）放送、衛星放送、文字多重放送等の受信機能が付加されている。これに伴い、そのテレビジョン受像機を遠隔操作するリモコン送信機においても多機能化が進み、機能ボタン等が増加される傾向にある。
【０００３】
ところで、このようなリモコン送信機では、操作性の面から送信機本体の大きさが限定されるのに対し、要求される操作機能が増加しているので、小さい操作ボタンが多数並べられることになり、操作性が悪いものであった。
【０００４】
そこで、従来では、送信機本体に開閉蓋を設け、その開閉蓋の外側に最も操作する回数の多い操作ボタンを設け、その開閉蓋の内側に操作回数の少ない操作ボタンを設けることで、送信機本体の大きさが限定されても、操作ボタンを比較的大きなものとして操作性の改善を図っている。
【０００５】
ここで、リモコン送信機の操作性の向上を図るようにしたものとして、特許文献１では、リモコン側に設けられている開閉蓋の開閉状態を検知する検知部からの検知信号の変化に応じてコントローラ側の表示部の表示内容を変化させるとともに、開閉蓋が開状態のときリモコン側のファンクションボタンに対応した機能表示を行わせることで、従来のように操作ボタンに機能が表示されるものに比べて視認性が格段に良くなり、表示された機能内容を確認しながらの操作を行うことができようにしたリモートコントロールシステムを提案している。
【特許文献１】特開平０７−５９１７１号公報
【発明の開示】
【発明が解決しようとする課題】
【０００６】
このように、上述した特許文献１に示されているリモートコントロールシステムでは、リモコン側の開閉蓋の開閉状態が検知されることで、コントローラ側の表示部に開閉蓋によって覆われている操作ボタンに対応した機能内容が表示されることから、リモコン側の操作ボタンに機能が刻設されたりするものに比べて視認性が格段に良くなる。
【０００７】
ところが、このようなリモートコントロールシステムを、上述したテレビジョン受像機に適用しようとすると、リモコン送信機の各機能ボタンの機能内容の確認を容易に行えるものの、たとえば画質調整に関わるものでは、明るさ、黒レベル、色の濃さ、色合い、シャープネスのそれぞれの内容を表示するに止まるため、リモコン送信機のボタン操作の回数を少なくして画質調整を行うことができず、操作が煩雑になるという問題があった。
【０００８】
本発明は、このような状況に鑑みてなされたものであり、上記問題点を解決することができるテレビジョン受像システム及びテレビジョン受像機の遠隔操作方法を提供することを目的とする。
【課題を解決するための手段】
【０００９】
本発明のテレビジョン受像システムは、リモコン送信機とテレビジョン受像機とを備えるテレビジョン受像システムであって、前記リモコン送信機は、前記テレビジョン受像機の少なくとも調整に関わる操作を行う操作手段と、開閉自在に設けられ、閉じ位置にあるとき前記操作手段を閉塞する閉塞手段と、該閉塞手段の開閉を検知する開閉検知手段と、該開閉検知手段による開検知に応じた開コード又は前記操作手段の操作に応じた操作コードを送信する送信制御手段とを有し、前記テレビジョン受像機は、前記開コード又は前記操作コードを受信する受信手段と、該受信手段によって前記開コードが受信されると、前記操作手段に関わる情報をＯＳＤ表示させ、さらに前記操作コードが受信されると、該操作コードに対応する調整内容をＯＳＤ表示させる調整制御手段とを有することを特徴とする。
また、前記送信制御手段は、前記操作手段の操作に応じた調整レベルコードを送信し、前記調整制御手段は、前記受信手段によって前記調整レベルコードが受信されると、前記調整内容を変更するとともに、該調整内容に応じたパラメータの値を変更するようにすることができる。
また、前記送信制御手段は、前記開閉検知手段による閉検知に応じた閉コードを送信し、前記調整制御手段は、ＯＳＤ表示中に前記受信手段によって前記閉コードが受信されると、前記ＯＳＤ表示を停止させるようにすることができる。
また、前記操作手段は、画質調整に関わる複数の操作ボタンであるようにすることができる。
また、前記閉塞手段は、前記リモコン送信機の送信機本体に対して回動自在又はスライド自在に設けられた蓋体であるようにすることができる。
本発明のテレビジョン受像機の遠隔操作方法は、リモコン送信機によるテレビジョン受像機の遠隔操作方法であって、前記リモコン送信機は、前記テレビジョン受像機の少なくとも調整に関わる操作を行う操作手段を閉塞する閉塞手段の開閉を検知するステップと、該閉塞手段の開検知があると該開検知に応じた開コードを送信するステップと、前記操作手段の操作に応じた操作コードを送信するステップとを有し、前記テレビジョン受像機は、前記開コード又は前記操作コードを受信するステップと、前記開コードが受信されると、前記操作手段に関わる情報をＯＳＤ表示させ、さらに前記操作コードが受信されると、該操作コードに対応する調整内容をＯＳＤ表示させるステップとを有することを特徴とする。
また、前記リモコン送信機は、前記操作手段の操作に応じた調整レベルコードを送信するステップを有し、前記テレビジョン受像機は、前記調整レベルコードが受信されると、前記調整内容を変更するとともに、該調整内容に応じたパラメータの値を変更するステップを有するようにすることができる。
また、前記リモコン送信機は、前記閉塞手段の閉検知があると該閉検知に応じた閉コードを送信するステップを有し、前記テレビジョン受像機は、ＯＳＤ表示中に前記閉コードが受信されると、前記ＯＳＤ表示を停止させるステップを有するようにすることができる。
また、前記操作手段は、画質調整に関わる複数の操作ボタンであるようにすることができる。
また、前記閉塞手段は、前記リモコン送信機の送信機本体に対して回動自在又はスライド自在に設けられた蓋体であるようにすることができる。
本発明のテレビジョン受像システム及びテレビジョン受像機の遠隔操作方法では、リモコン送信機側で、テレビジョン受像機の少なくとも調整に関わる操作を行う操作手段を閉塞する閉塞手段の開検知があると、該開検知に応じた開コードが送信され、さらに操作手段の操作に応じた操作コードが送信され、テレビジョン受像機側では、開コードが受信されると、操作手段に関わる情報がＯＳＤ表示され、さらに操作コードが受信されると、該操作コードに対応する調整内容がＯＳＤ表示される。
【発明の効果】
【００１０】
本発明のテレビジョン受像システム及びテレビジョン受像機の遠隔操作方法によれば、リモコン送信機側の閉塞手段を開けると操作手段に関わる情報がＯＳＤ表示され、さらに操作手段を操作するとその操作コードに対応する調整内容がＯＳＤ表示されるようにしたので、リモコン送信機側でのたとえば操作ボタンによる操作の回数を少なくしてたとえば画質調整を行うことができることから、リモコン送信機による操作性を向上させることができる。
【発明を実施するための最良の形態】
【００１１】
本実施形態では、リモコン送信機側で、テレビジョン受像機の少なくとも調整に関わる操作を行う操作手段を閉塞する閉塞手段の開検知があると、該開検知に応じた開コードが送信され、さらに操作手段の操作に応じた操作コードが送信され、テレビジョン受像機側では、開コードが受信されると、操作手段に関わる情報がＯＳＤ表示され、さらに操作コードが受信されると、該操作コードに対応する調整内容がＯＳＤ表示されるようにすることで、リモコン送信機側でのたとえば操作ボタンによる操作の回数を少なくしてたとえば画質調整を行うことができるようにし、リモコン送信機による操作性を向上させるようにした。
【実施例】
【００１２】
以下、本発明の実施例の詳細について説明する。図１は、本発明のテレビジョン受像システムをリモコン送信機からのリモコン信号を受信するテレビジョン受像機に適用した場合の一実施例を説明するための図である。
【００１３】
図１に示すテレビジョン受像機１０は、チューナ１１、デジタル信号復調部１２、ＴＳ（トランスポートストリーム）デコーダ１３、Ａ／Ｖ（音声／映像）デコーダ１４、Ａ／Ｖ（音声／映像）出力部１５、メモリ１６、ＯＳＤ（Ｏｎ  Ｓｃｒｅｅｎ  Ｄｉｓｐｌａｙ）コントローラ１７、リモコン受信器１８、制御部１９を備えている。ここで、メモリ１６、ＯＳＤコントローラ１７及び制御部１９によって調整制御手段が構成されている。
【００１４】
チューナ１１は、たとえばリモコン受信器１８によって受信されたリモコン送信機２０からの選局データに基づきデジタル放送信号の選局を行う。デジタル信号復調部１２は、チューナ１１によって選局されたデジタル放送信号を復調し、ＭＰＥＧ２符号化方式等で符号化された映像、音声、データが多重されたビットストリーム（以下、トランスポートストリームという）として出力する。
【００１５】
ＴＳデコーダ１３は、デジタル信号復調部１２からのトランスポートストリームから映像データ、音声データ、電子番組表データ等の各種データを分離・抽出して出力する。Ａ／Ｖデコーダ１４は、ＴＳデコーダ１３によって分離・抽出された映像データ及び音声データに対しＭＰＥＧ２等の復号処理を行って出力する。Ａ／Ｖ出力部１５は、Ａ／Ｖデコーダ１４によって復号処理されたＡ／Ｖ信号を出力する。
【００１６】
メモリ１６には、ＯＳＤコントローラ１７によって表示される少なくとも画質調整に関わる情報が記憶されている。ここで、画質調整に関わる情報としては、明るさ、黒レベル、色の濃さ、色合い、シャープネス等のそれぞれに対応し、たとえば後述のリモコン送信機２０による画質調整に応じたモノスコープパターン等が記憶されている。また、メモリ１６には、テレビジョン受像機１０の画質調整等に必要な基本パラメータが記憶されている。なお、そのパラメータの値は、リモコン送信機２０による調整内容に応じて制御部１９により変更されるようになっている。また、メモリ１６には、制御部１９による少なくとも各部の動作制御に必要な制御プログラムや画質調整に必要な制御プログラムが記憶されている。
【００１７】
ＯＳＤコントローラ１７は、図示しない画面上に、メモリ１６に記憶されている情報に基づき、画質調整に関わる内容等を表示させる。受信手段としてのリモコン受信器１８は、後述のリモコン送信機２０から赤外線によるリモコン信号を受信する。
【００１８】
制御部１９は、メモリ１６に記憶されている制御プログラムに基づいて各部の動作を制御する。本実施例における制御部１９の主な制御としては、後述のリモコン送信機２０からの蓋開コードに基づき、ＯＳＤコントローラ１７に対し画質調整に関わる情報を表示させることである。また、制御部１９の主な制御としては、リモコン送信機２０からの画質調整に関わるリモコン信号が所定時間無いと判断したとき、ＯＳＤコントローラ１７に対し画質調整に関わる情報の表示を停止させることである。また、制御部１９の主な制御としては、ＯＳＤコントローラ１７に対し画質調整に関わる情報を表示させている最中に蓋閉コードを受け取ると、ＯＳＤコントローラ１７に対し画質調整に関わる情報の表示を停止させることである。
【００１９】
図２は、上述したリモコン送信機２０を示す図である。同図に示すように、リモコン送信機２０の送信機本体２１には、主として各種機能ボタン２３と画質調整ボタン２４とが設けられている。
【００２０】
ここで、各種機能ボタン２３には、選局ボタン２３ａ、音量調整ボタン２３ｂ、メニューボタン２３ｃ、カーソルボタン２３ｄ等が設けられている。選局ボタン２３ａは、選局操作を行う際に操作されるものである。音量調整ボタン２３ｂは、音量を調整する際に操作されるものである。メニューボタン２３ｃは、たとえばテレビジョン受像機１０の機能設定を行うための項目を表示させる場合に操作されるものである。カーソルボタン２３ｄは、メニューボタン２３ｃによって表示された項目の選択等を行う場合に操作されるものである。
【００２１】
操作手段としての画質調整ボタン２４は、送信機本体２１の下端部に開閉自在に取り付けられている閉塞手段として蓋（蓋体）２５によって覆われる位置に設けられている。画質調整ボタン２４としては、明るさボタン２４ａ、黒レベルボタン２４ｂ、色の濃さボタン２４ｃ、色合いボタン２４ｄ、シャープネスボタン２４ｅ等がある。
【００２２】
また、これらの画質調整ボタン２４は、いずれかを操作するとその操作されたボタンが選択され、さらにその選択されたボタンの左端又は右端を操作（調整操作）することでレベル調整を行うことができるようになっている。
【００２３】
なお、上記の蓋２５は、送信機本体２１の下端部に回動自在に取り付けられていてもよいし、スライド自在に取り付けられていてもよい。また、蓋２５の開閉は、後述の開閉検知手段としての蓋開閉検知スイッチ２５ａによって検知されるようになっている。蓋開閉検知スイッチ２５ａとしては、メカニカルスイッチや光学スイッチ等を用いることができる。
【００２４】
図３は、リモコン送信機２０の制御系を説明するための図である。同図に示すように、リモコン送信機２０の制御系２６には、送信部２６ａ、ＲＯＭ２６ｂ、ＲＡＭ２６ｃ、ボタン操作検知部２６ｄ、蓋開閉検知部２６ｅ、ＣＰＵ２６ｆが設けられている。ここで、送信部２６ａ、ＲＯＭ２６ｂ及びＣＰＵ２６ｆによって送信制御手段が構成されている。
【００２５】
送信部２６ａは、ＣＰＵ２６ｆによる制御により、ボタン操作検知部２６ｄ又は蓋開閉検知部２６ｅによって検知されたボタン又は蓋開閉に対応するコードを赤外線によって送信する。
【００２６】
ＲＯＭ２６ｂには、少なくともＣＰＵ２６ｆの動作に必要な制御プログラムと、各種機能ボタン２３及び画質調整ボタン２４に対応するボタンコード（操作コード）と、蓋開閉に対応する蓋開コード及び蓋閉コードとが記憶されている。
【００２７】
ＲＡＭ２６ｃは、ＣＰＵ２６ｆの演算結果を保持するための作業エリアとして用いられる。ボタン操作検知部２６ｄは、各種機能ボタン２３又は画質調整ボタン２４の操作を検知する。蓋開閉検知部２６ｅは、蓋２５の開閉に連動する蓋開閉検知スイッチ２５ａのオン／オフを検知する。
【００２８】
ＣＰＵ２６ｆは、ＲＯＭ２６ｂに記憶されている制御プログラムを読み込んで各部の動作を制御する。ＣＰＵ２６ｆによる主な制御としては、ボタン操作検知部２６ｄによって検知された各種機能ボタン２３又は画質調整ボタン２４に対応するボタンコード（操作コード）をＲＯＭ２６ｂから読み取り、送信部２６ａを介してそのボタンコード（操作コード）を赤外線によって送信させることである。
【００２９】
また、ＣＰＵ２６ｆによる主な制御としては、蓋開閉検知部２６ｅによって検知された蓋２５の開閉に連動する蓋開閉検知スイッチ２５ａのオン又はオフに対応する蓋開コード又は蓋閉コードをＲＯＭ２６ｂから読み取り、送信部２６ａを介してその蓋開コード又は蓋閉コードを赤外線によって送信させることである。
【００３０】
次に、リモコン送信機２０によるテレビジョン受像機１０の遠隔操作方法について説明する。まず、図４に示すように、テレビジョン受像機１０の電源がオンされると（ステップＳ１）、制御部１９によりチューナ１１が制御され、前回視聴されていたチャンネルのデジタル放送信号が選局されて図示しない画面に映像が表示される（ステップＳ２）。
【００３１】
ここで、リモコン送信機２０の蓋２５の開閉状態が判断され（ステップＳ３）、蓋２５が開けられると（ステップＳ３：Ｙｅｓ）、蓋開閉検知スイッチ２５ａがオンし、蓋開閉検知部２６ｅによってそのオンが検知されてＣＰＵ２６ｆに通知される。このとき、ＣＰＵ２６ｆによりＲＯＭ２６ｂに記憶されている蓋開コードが読み取られ、送信部２６ａを介してその蓋開コードが赤外線によって送信される（ステップＳ４）。
【００３２】
テレビジョン受像機１０側では、リモコン受信器１８によってその蓋開コードが受信されると、制御部１９によりＯＳＤコントローラ１７が制御され、図示しない画面に画質調整に関わる内容等が表示される（ステップＳ５）。
【００３３】
画質調整に関わる内容としては、明るさ、黒レベル、色の濃さ、色合い、シャープネス等である。これらの画質調整の関わる内容は、リモコン送信機２０の画質調整ボタン２４の明るさボタン２４ａ、黒レベルボタン２４ｂ、色の濃さボタン２４ｃ、色合いボタン２４ｄ、シャープネスボタン２４ｅに対応している。
【００３４】
ここで、画質調整ボタン２４が操作されたかどうかが判断され（ステップＳ６）、たとえばリモコン送信機２０の画質調整ボタン２４の明るさボタン２４ａを操作すると、ボタン操作検知部２６ｄによってその明るさボタン２４ａの操作が検知され（ステップＳ６：Ｙｅｓ）、ＣＰＵ２６ｆによりその明るさボタン２４ａに対応するボタンコード（操作コード）がＲＯＭ２６ｂから読み取られ、送信部２６ａを介してそのボタンコード操作コード）が送信される（ステップＳ７）。
【００３５】
なお、画質調整ボタン２４が操作されない場合は（ステップＳ６：Ｎｏ）、後述の図５に示す（ステップＳ１４）に移行する。
【００３６】
また、明るさボタン２４ａ以外の黒レベルボタン２４ｂ、色の濃さボタン２４ｃ、色合いボタン２４ｄ、シャープネスボタン２４ｅのいずれかが操作された場合も同様に、いずれかのボタンの操作がボタン操作検知部２６ｄによって検知され、ＣＰＵ２６ｆにより操作されたいずれかのボタンに対応するボタンコード（操作コード）がＲＯＭ２６ｂから読み取られ、送信部２６ａを介してそのボタンコード（操作コード）が送信される。
【００３７】
テレビジョン受像機１０側では、リモコン受信器１８によってその明るさボタン２４ａに対応するボタンコード（操作コード）が受信されると、制御部１９によりＯＳＤコントローラ１７が制御され、図示しない画面に明るさを調整するためのモノスコープパターンが表示される（ステップＳ８）。
【００３８】
ここで、さらにリモコン送信機２０の画質調整ボタン２４の明るさボタン２４ａの左端又は右端を操作しての調整操作の有無が判断され（ステップＳ９）、その調整操作が有ると判断されると（ステップＳ９：Ｙｅｓ）、ＣＰＵ２６ｆによりその明るさボタン２４ａに対応するボタンコード（操作コード）の調整レベルコードがＲＯＭ２６ｂから読み取られ、送信部２６ａを介してその調整レベルコードが送信される（ステップＳ１０）。この調整レベルコードは、明るさボタン２４ａの左端又は右端の操作（調整操作）に応じて順次送信される。
【００３９】
なお、明るさボタン２４ａによる調整操作が無い場合は（ステップＳ９：Ｎｏ）、後述の図５に示す（ステップＳ１４）に移行する。
【００４０】
テレビジョン受像機１０側では、リモコン受信器１８によってその明るさボタン２４ａに対応する調整レベルコードが受信されると、制御部１９によりＯＳＤコントローラ１７が制御され、図示しない画面に表示されているモノスコープパターンの内容が調整レベルコードに応じて変更される（ステップＳ１１）。
【００４１】
このとき、図５に示すように、制御部１９により、ＯＳＤコントローラ１７によるモノスコープパターンの内容の変更とともに、画質調整に関わるパラメータの値が変更される（ステップＳ１２）。
【００４２】
ここで、明るさボタン２４ａ以外の上述した画質調整ボタン２４が操作されたかどうかが判断され（ステップＳ１３）、明るさボタン２４ａ以外の上述した画質調整ボタン２４が操作された場合は（ステップＳ１３：Ｙｅｓ）、図４の（ステップＳ７）に移行し、上記同様の処理が行われる。
【００４３】
すなわち、リモコン送信機２０から黒レベルボタン２４ｂ、色の濃さボタン２４ｃ、色合いボタン２４ｄ、シャープネスボタン２４ｅのいずれかに対応するボタンコード（操作コード）が送信された場合も同様に、制御部１９によりＯＳＤコントローラ１７が制御され、図示しない画面にいずれかの操作されたボタンに対応する調整用パターンが表示される。さらに、黒レベルボタン２４ｂ、色の濃さボタン２４ｃ、色合いボタン２４ｄ、シャープネスボタン２４ｅのいずれかの調整レベルコードに応じて表示されている調整用パターンの内容が変更される。たとえば、黒レベルボタン２４ｂが操作された場合はウィンドウパターンが、色の濃さボタン２４ｃか色合いボタン２４ｄが操作された場合はカラーバーが、シャープネスボタン２４ｅが操作された場合はモノスコープパターンが、明るさボタン２４ａが操作された場合はクロスハッチパターンがそれぞれ表示されることになる。
【００４４】
これに対し、明るさボタン２４ａ以外の上述した画質調整ボタン２４が操作されない場合は（ステップＳ１３：Ｎｏ）、リモコン送信機２０の蓋２５が閉じられたかどうかが判断される（ステップＳ１４）。
【００４５】
ここで、リモコン送信機２０の蓋２５が閉じられると（ステップＳ１４：Ｙｅｓ）、蓋開閉検知スイッチ２５ａがオフし、蓋開閉検知部２６ｅによってそのオフが検知されてＣＰＵ２６ｆに通知される。このとき、ＣＰＵ２６ｆによりＲＯＭ２６ｂに記憶されている蓋閉コードが読み取られ、送信部２６ａを介してその蓋閉コードが赤外線によって送信される（ステップＳ１５）。
【００４６】
テレビジョン受像機１０側では、リモコン受信器１８によってその蓋閉コードが受信されると、制御部１９により、ＯＳＤコントローラ１７による画質調整の関わる内容の表示が停止される（ステップＳ１６）。
【００４７】
また、テレビジョン受像機１０側では、蓋閉コードの受信が無い場合でも（ステップＳ１４：Ｎｏ）、制御部１９により、リモコン送信機２０からの画質調整に関わるリモコン信号が所定時間無いかどうかが判断され（ステップＳ１７）、リモコン信号が所定時間無いと判断されると（ステップＳ１７：Ｙｅｓ）、ＯＳＤコントローラ１７による画質調整の関わる内容の表示が停止される（ステップＳ１６）。
【００４８】
なお、リモコン信号が所定時間内に有る場合は（ステップＳ１７：Ｎｏ）、図４の（ステップＳ７）に移行し、上記同様の処理が行われる。
【００４９】
また、リモコン送信機２０からの画質調整に関わるリモコン信号が所定時間無いと判断され、ＯＳＤコントローラ１７による画質調整の関わる内容の表示が停止された後に、リモコン送信機２０からの蓋閉コードが受信された場合は、その蓋閉コードが無視される。
【００５０】
このように、本実施例では、リモコン送信機２０側で、テレビジョン受像機１０の少なくとも調整に関わる操作を行う画質調整ボタン２４を閉塞する蓋２５の開検知があると、該開検知に応じた開コードが送信され、さらに画質調整ボタン２４の明るさボタン２４ａ、黒レベルボタン２４ｂ、色の濃さボタン２４ｃ、色合いボタン２４ｄ、シャープネスボタン２４ｅのいずれかの操作に応じた操作コードが送信され、テレビジョン受像機１０側では、開コードが受信されると、画質調整ボタン２４に関わる情報がＯＳＤ表示され、さらに操作コードが受信されると、該操作コードに対応する調整内容がＯＳＤ表示されるようにしたので、リモコン送信機２０側でのたとえば画質調整ボタン２４による操作の回数を少なくしてたとえば画質調整を行うことができ、リモコン送信機２０による操作性を向上させることができる。
【００５１】
また、本実施例では、明るさボタン２４ａ、黒レベルボタン２４ｂ、色の濃さボタン２４ｃ、色合いボタン２４ｄ、シャープネスボタン２４ｅのいずれかの操作コードに対応する調整内容がＯＳＤ表示されているとき、さらにその操作コードに対応するいずれかのボタンの左端又は右端を操作（調整操作）することで調整レベルコードが送信され、テレビジョン受像機１０側で、その調整レベルコードに応じて調整内容を変更するとともに、該調整内容に応じたパラメータの値が変更されるようにしたので、明るさボタン２４ａ、黒レベルボタン２４ｂ、色の濃さボタン２４ｃ、色合いボタン２４ｄ、シャープネスボタン２４ｅのいずれかのボタンの連続操作により画質調整を行うことができる。
【００５２】
また、本実施例では、リモコン送信機２０側で、画質調整ボタン２４を閉塞する蓋２５の閉検知があると、該閉検知に応じた閉コードが送信され、テレビジョン受像機１０側ではその閉コードが受信されると、ＯＳＤ表示を停止させるようにしたので、蓋２５の閉じ操作により速やかにＯＳＤ表示を消すことができる。
【００５３】
また、本実施例では、蓋２５を開けると、画質調整ボタン２４に対応した画質調整に関わる内容がＯＳＤ表示されるようにしたので、たとえば図２のメニューボタン２３ｃを操作し、さらにカーソルボタン２３ｄを操作して画質調整に関わる項目を選択するような操作が不要となり、画質調整を容易に行うことができる。
【００５４】
また、本実施例では、蓋２５をリモコン送信機２０の送信機本体２１に対して回動自在又はスライド自在に設けるようにしたので、蓋２５を片手で簡単に開閉させることができる。
【００５５】
なお、本実施例では、蓋２５によって覆われる位置に画質調整ボタン２４を設け、蓋２５が開けられると、画質調整ボタン２４に対応した画質調整に関わる内容がＯＳＤ表示されるようにした場合について説明したが、この例に限らず、蓋２５によって覆われる位置に画質調整以外の他の設定調整を行う設定調整ボタンを設け、蓋２５が開けられると、その設定調整ボタンに対応した設定調整に関わる内容がＯＳＤ表示されるようにしてもよい。
【産業上の利用可能性】
【００５６】
テレビジョン受像機に限らず、リモコン送信機によって遠隔操作が行われるものであればよく、テレビチューナが搭載されたＰＤＡ、ノートパソコン、モバイル向けテレビ等のシステム機器にも適用可能である。
【図面の簡単な説明】
【００５７】
【図１】本発明のテレビジョン受像システムをリモコン送信機からのリモコン信号を受信するテレビジョン受像機に適用した場合の一実施例を説明するための図である。
【図２】図１のリモコン送信機を示す図である。
【図３】図１及び図２のリモコン送信機の制御系を説明するための図である。
【図４】図１〜図３のリモコン送信機によるテレビジョン受像機の遠隔操作方法について説明するためのフローチャートである。
【図５】図１〜図３のリモコン送信機によるテレビジョン受像機の遠隔操作方法について説明するためのフローチャートである。
【符号の説明】
【００５８】
１０  テレビジョン受像機
１１  チューナ
１２  デジタル信号復調部
１３  ＴＳデコーダ
１４  Ａ／Ｖデコーダ
１５  Ａ／Ｖ出力部
１６  メモリ（調整制御手段）
１７  ＯＳＤコントローラ（調整制御手段）
１８  リモコン受信器（受信手段）
１９  制御部（調整制御手段）
２０  リモコン送信機
２１  送信機本体
２３  各種機能ボタン
２３ａ  選局ボタン
２３ｂ  音量調整ボタン
２３ｃ  メニューボタン
２３ｄ  カーソルボタン
２４  画質調整ボタン（操作手段）
２４ａ  明るさボタン（操作手段）
２４ｂ  黒レベルボタン（操作手段）
２４ｃ  色の濃さボタン（操作手段）
２４ｄ  色合いボタン（操作手段）
２４ｅ  シャープネスボタン（操作手段）
２５  蓋（閉塞手段）
２５ａ  蓋開閉検知スイッチ（開閉検知手段）
２６  制御系
２６ａ  送信部（送信制御手段）
２６ｂ  ＲＯＭ（送信制御手段）
２６ｃ  ＲＡＭ
２６ｄ  ボタン操作検知部
２６ｅ  蓋開閉検知部
２６ｆ  ＣＰＵ（送信制御手段）
【図１】
2008109275.tif 000003
【図２】
2008109275.tif 000004
【図３】
2008109275.tif 000005
【図４】
2008109275.tif 000006
【図５】
2008109275.tif 000007